(57)【要約】【課題】雄端子の挿入力を低減すると共に、接触荷重を容易に管理することのできる良好な雌端子を提供する。【解決手段】雌端子５０には、筒状の相手端子挿入部５２における底壁５４の前端縁から後方に向かって延び、且つ自由端部５６ａが底壁５４上を摺動可能とされた弾性接触片５６が設けられる。弾性接触片５６の自由端部５６ａには、底壁５４に向かって突出し、且つ、雄端子の挿入による該弾性接触片５６の弾性変形時に底壁５４上に接触することにより、その接触部分より前側の部分を底壁５４から浮かせる凸部５７が設けられている。【選択図】      図１
2004253166.tif 000002
【特許請求の範囲】
【請求項１】
筒状の相手端子挿入部における底壁の前端縁から後方に向かって延び、且つ自由端部が前記底壁上を摺動可能とされた弾性接触片が設けられた雌端子であって、
前記弾性接触片の自由端部には、前記底壁に向かって突出し、且つ、相手端子の挿入による該弾性接触片の弾性変形時に前記底壁上に接触することにより、その接触部分より前側の部分を前記底壁から浮かせる凸部が設けられていることを特徴とする雌端子。
【発明の詳細な説明】
【０００１】
【発明の属する技術分野】
本発明は、筒状の相手端子挿入部における底壁の前端縁から後方に向かって延び、且つ自由端部が前記底壁上を摺動可能とされた弾性接触片が設けられた雌端子の改良に関する。
【０００２】
【従来の技術】
従来の雌端子としては、電線接続部の前側に矩形筒状の相手端子挿入部を設けると共に、その相手端子挿入部の中に弾性接触片を設け、相手端子挿入部に挿入された雄端子を該弾性接触片と相手端子挿入部の天壁との間に挟持するようにした雌端子が知られている（例えば、特許文献１参照）。
【０００３】
図３及び図４は従来の雌端子の構成を示す断面図及び要部拡大図である。
雌端子１は、図３及び図４に示したように、図示しない電線の端部が接続される電線接続部３の前側に、雄端子２０を挿入し電気接続するための相手端子挿入部２を有している。
筒状の相手端子挿入部２には、底壁４の前端縁から後方に向かって延び、且つ自由端部６ａが前記底壁４上を摺動可能とされた弾性接触片６が設けられている。
【０００４】
前記弾性接触片６は、底壁４の前端縁に一体化されており、中間部６ｂが天壁５に向かってアーチ形に湾曲形成され、自由端部６ａが底壁４の上面に対して摺動可能とされており、その自由端部６ａの先端は摺動時の引っ掛かり防止のため上向きに折り返されている。
【０００５】
そして、図４に示したように、この雌端子１の相手端子挿入部２に雄端子２０を挿入すると、該雄端子２０は、弾性接触片６の中間部６ｂを押し下げながら相手端子挿入部２内に入っていき、弾性変形した弾性接触片６と天壁５との間に挟持される。
この状態で、前記雌端子１と前記雄端子２０とが電気的に接続される。この雄端子２０の挿入の際、弾性接触片６は、底壁４の前端縁に一体化された折り返し部６ｃと、底壁４に接触する自由端部６ａとで両端支持されながら弾性変形し、その変形によるバネ反力を雄端子２０に挟持力として与える。従って、このバネ反力が、雄端子２０に対する挿入抵抗として作用する。
【０００６】
【特許文献１】
特開平９−２８９０５５号公報（図２）
【０００７】
【発明が解決しようとする課題】
ところで、上述した従来の雌端子１においては、図４に示したように、雄端子２０の挿入によって弾性接触片６が撓んだ際に、その撓みが増すに従って、弾性接触片６の自由端部６ａが潰れて底壁４に徐々に面接触していき、弾性接触片６の自由端部６ａ側の支持点Ｐが前側のＰＡの位置に移動する。
【０００８】
その結果、両端支持点間の距離Ｌが短くなることでバネ定数が上昇してしまい、雄端子２０の挿入力（挿入抵抗）が増大するという問題があった。また、雄端子２０の厚さによって弾性接触片６の支持点Ｐの移動量が変わるため、雄端子２０の公差範囲内での誤差の大きさにより、雄端子２０と弾性接触片６の接触荷重が変わりやすく、品質管理がし難いという問題もあった。
【０００９】
従って、本発明の目的は上記課題を解消することに係り、雄端子の挿入力を低減すると共に、接触荷重を容易に管理することのできる良好な雌端子を提供することである。
【００１０】
【課題を解決するための手段】
本発明の上記目的は、請求項１に記載したように、筒状の相手端子挿入部における底壁の前端縁から後方に向かって延び、且つ自由端部が前記底壁上を摺動可能とされた弾性接触片が設けられた雌端子であって、
前記弾性接触片の自由端部には、前記底壁に向かって突出し、且つ、相手端子の挿入による該弾性接触片の弾性変形時に前記底壁上に接触することにより、その接触部分より前側の部分を前記底壁から浮かせる凸部が設けられていることを特徴とする雌端子により達成される。
【００１１】
上記構成の雌端子によれば、弾性接触片の自由端部に底壁に向かって突出する凸部を設け、該凸部で底壁に接触させるようにしているので、その接触部よりも前側の部分では弾性接触片と底壁との間に常にクリアランスを確保することができる。
そこで、雄端子の挿入に応じて弾性接触片が弾性変形する際に、弾性接触片の自由端部側の支持点が底壁に対して前側に徐々に移動することがなくなり、弾性接触片の両端支持点間の距離、つまり実質的なバネ長さが一定に保たれて、一定のバネ定数が維持される。
【００１２】
従って、雄端子の挿入に伴って挿入抵抗が高くなるようなことがなく、常に一定の力で雄端子を挿入することができる。また、雄端子の挿入に応じて弾性接触片の両端支持点間の距離が変わらず、弾性接触片のバネ定数を一定に保つことができるので、雄端子の公差範囲内での誤差による弾性接触片の接触荷重の変化も小さくすることができ、品質管理が容易となり、生産性の向上にも寄与することができる。
【００１３】
【発明の実施の形態】
以下、添付図面に基づいて本発明の一実施形態に係る雌端子を詳細に説明する。
図１は本発明の一実施形態に係る雌端子の縦断面図であり、図２は図１に示した雌端子に雄端子を挿入した際の状態を示す要部拡大断面図である。
【００１４】
本実施形態の雌端子５０は、図１及び図２に示すように、図示しない電線の端部が接続される電線接続部５３の前側に、雄端子２０を挿入し電気接続するための相手端子挿入部５２を有している。
矩形筒状の前記相手端子挿入部５２には、底壁５４の前端縁から後方に向かって延び、且つ自由端部５６ａが前記底壁５４上を摺動可能とされた弾性接触片５６が設けられている。
【００１５】
前記弾性接触片５６は、底壁５４の前端縁に一体化されており、中間部５６ｂには天壁５５に形成した湾曲部５５ａに向かってアーチ形に湾曲形成された湾曲部５６ｄを有し、自由端部６ａには前記底壁５４に向かって突出した凸部５７が設けられている。
前記凸部５７は、雄端子２０の挿入による該弾性接触片５６の弾性変形時に前記底壁５４上に接触することにより、その接触部分より前側の部分を前記底壁５４から浮かせるように、底壁５４に向かって突出する半円弧状断面を有するように屈曲形成されている。
【００１６】
即ち、本実施形態の雌端子５０は、図２に示したように、弾性接触片５６の自由端部５６ａに底壁５４に向かって突出する凸部５７を設け、該凸部５７で底壁５４に接触させるようにしているので、その接触部よりも前側の部分では弾性接触片５６と底壁５４との間に常にクリアランスＨを確保することができる。
【００１７】
そこで、雄端子２０の挿入に応じて弾性接触片５６が弾性変形する際に、弾性接触片５６の自由端部側の支持点Ｐが底壁５４に対して前側に徐々に移動することがなくなり、弾性接触片５６の両端支持点５６ａ，５６ｄ間の距離Ｌ、つまり実質的なバネ長さが一定に保たれて、一定のバネ定数が維持される。
【００１８】
従って、雄端子２０の挿入に伴って挿入抵抗が高くなるようなことがなく、常に一定の力で雄端子２０を挿入することができる。また、雄端子２０の挿入に応じて弾性接触片５６の両端支持点５６ａ，５６ｄ間の距離Ｌが変わらず、弾性接触片５６のバネ定数を一定に保つことができるので、雄端子２０の公差範囲内での誤差による弾性接触片５６の接触荷重の変化も小さくすることができ、品質管理が容易となり、生産性の向上にも寄与することができる。
【００１９】
尚、本発明の雌端子における弾性接触片及び凸部の構成は、上記実施形態における弾性接触片５６及び凸部５７の構成に限定されるものではなく、本発明の趣旨に基づいて種々の形態を採りうることは云うまでもない。
例えば、前記凸部をプレス時に半球状に膨出させた突起で形成することもできる。
【００２０】
【発明の効果】
以上説明したように、本発明の雌端子によれば、弾性接触片の自由端部に底壁に向かって突出する凸部を設け、該凸部で底壁に接触させるようにしているので、その接触部よりも前側の部分では弾性接触片と底壁との間に常にクリアランスを確保することができる。
そこで、雄端子の挿入に応じて弾性接触片が弾性変形する際に、弾性接触片の自由端部側の支持点が底壁に対して前側に徐々に移動することがなくなり、弾性接触片の両端支持点間の距離、つまり実質的なバネ長さが一定に保たれて、一定のバネ定数が維持される。
【００２１】
従って、雄端子の挿入に伴って挿入抵抗が高くなるようなことがなく、常に一定の力で雄端子を挿入することができる。また、雄端子の挿入に応じて弾性接触片の両端支持点間の距離が変わらず、弾性接触片のバネ定数を一定に保つことができるので、雄端子の公差範囲内での誤差による弾性接触片の接触荷重の変化も小さくすることができ、品質管理が容易となり、生産性の向上にも寄与することができる。
【図面の簡単な説明】
【図１】本発明の一実施形態に係る雌端子の縦断面図である。
【図２】図１に示した雌端子に雄端子を挿入した際の状態を示す要部拡大断面図である。
【図３】従来の雌端子の縦断面図である。
【図４】図３に示した雌端子に雄端子を挿入した際の状態を示す要部拡大断面図である。
【符号の説明】
２０  雄端子
５０  雌端子
５２  相手端子挿入部
５４  底壁
５５  天壁
５６  弾性接触片
５６ａ  自由端部
５７  凸部
【図１】
2004253166.tif 000003
【図２】
2004253166.tif 000004
【図３】
2004253166.tif 000005
【図４】
2004253166.tif 000006
【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
筒状の相手端子挿入部における底壁の前端縁から後方に向かって延び、且つ自由端部が前記底壁上を摺動可能とされた弾性接触片が設けられた雌端子であって、
前記弾性接触片の自由端部には、前記底壁に向かって突出し、且つ、相手端子の挿入による該弾性接触片の弾性変形時に前記底壁上に接触することにより、その接触部分より前側の部分において前記弾性接触片と前記底壁との間に常にクリアランスを確保するための凸部が設けられていることを特徴とする雌端子。
【請求項２】
前記弾性接触片の弾性変形時に、当該弾性接触片の中間部における前記相手端子に対する接点部と、前記底壁に対する前記弾性接触片の接点となる前記凸部との間の距離が一定に保たれることを特徴とする請求項１に記載の雌端子。
【手続補正２】
【補正対象書類名】明細書
【補正対象項目名】００１０
【補正方法】変更
【補正の内容】
【００１０】
【課題を解決するための手段】
本発明の上記目的は、請求項１に記載したように、筒状の相手端子挿入部における底壁の前端縁から後方に向かって延び、且つ自由端部が前記底壁上を摺動可能とされた弾性接触片が設けられた雌端子であって、
前記弾性接触片の自由端部には、前記底壁に向かって突出し、且つ、相手端子の挿入による該弾性接触片の弾性変形時に前記底壁上に接触することにより、その接触部分より前側の部分において前記弾性接触片と前記底壁との間に常にクリアランスを確保するための凸部が設けられていることを特徴とする雌端子により達成される。


【手続補正３】
【補正対象書類名】明細書
【補正対象項目名】００１２
【補正方法】変更
【補正の内容】
【００１２】
従って、雄端子の挿入に伴って挿入抵抗が高くなるようなことがなく、常に一定の力で雄端子を挿入することができる。
また、本発明の上記目的は、請求項２に記載したように、前記弾性接触片の弾性変形時に、前記弾性接触片の弾性変形時に、当該弾性接触片の中間部における前記相手端子に対する接点部と、前記底壁に対する前記弾性接触片の接点となる前記凸部との間の距離が一定に保たれることを特徴とする雌端子により達成される。
上記構成の雌端子によれば、雄端子の挿入に応じて弾性接触片の両端支持点間の距離が変わらず、弾性接触片のバネ乗数を一定に保つことができるので、雄端子の公差範囲内での誤差による弾性接触片の接触荷重の変化も小さくすることができ、品質管理が容易となり、生産性の向上にも寄与することができる。


【手続補正４】
【補正対象書類名】明細書
【補正対象項目名】００１５
【補正方法】変更
【補正の内容】
【００１５】
前記弾性接触片５６は、底壁５４の前端縁に一体化されており、中間部５６ｂには天壁５５に形成した湾曲部５５ａに向かってアーチ形に湾曲形成された湾曲部５６ｄを有し、自由端部５６ａには前記底壁５４に向かって突出した凸部５７が設けられている。
前記凸部５７は、雄端子２０の挿入による該弾性接触片５６の弾性変形時に前記底壁５４上に接触することにより、その接触部分より前側の部分を前記底壁５４から浮かせるように、底壁に向かって突出する半円弧状断面を有するように屈曲形成されている。